【手続補正書】
【提出日】平成14年11月6日(2002.11.6)
【手続補正１】
【補正対象書類名】明細書
【補正対象項目名】請求項１
【補正方法】変更
【補正の内容】
【請求項１】
香水を沁み込ませた、吸収性材料製の試験細片を有する香水試験器において、
前記試験細片（３）の一方の端部領域が、プラスチックシート（１．１、１．２）から構成される袋状物（１）に固定されること、及び
前記袋状物（１）の前記試験細片が固定された端部（４）から該袋状物（１）の他方の端部（５）の方向へずれた位置に、前記袋状物（１）は、該袋状物（１）の両端部（４、５）に牽引力が印加されると前記試験細片（３）の縦軸方向に引き裂かれかつ該試験細片（３）の実質的部分が開放されるような、該袋状物（１）の横幅に亘って延在する目標破断線（６）を有すること
を特徴とする香水試験器。
【手続補正２】
【補正対象書類名】明細書
【補正対象項目名】発明の詳細な説明
【補正方法】変更
【補正の内容】
【発明の詳細な説明】
【０００１】
【発明の属する技術分野】
本発明は、香水を沁み込ませた、吸収性材料製の試験細片を有する香水試験器に関する。
【０００２】
【従来の技術】
香水をその芳香的特徴に関して利用者に宣伝するために、大抵、香水は、本来のケース（瓶）から吸収性紙製の細片に塗布される。そして、その塗布紙片付近を（手で）仰ぐことにより、購買意欲を掻き立てるような芳香が香り立つ。
【０００３】
【発明が解決しようとする課題】
香水は、常に現場で試験片に沁み込ませられるので、宣伝活動は、店頭（売り場）でしか行なうことができず、一般的なサンプル頒布又は雑誌の付録によっては行うことはできない。
【０００４】
そのような宣伝活動を可能にするようなシステムは、製造コストが非常に大きくかつ従って非常に高価であり、当該システムに対する要求は部分的にしか充足されていない。深絞り加工法で製造される香水試験器は、高価な付加部材がなければ、雑誌のサンプルに対して必要な要求に適合しない。
【０００５】
それゆえ、本発明の課題は、現代の包装技術及び包装材技術を利用して、香水を沁み込ませた細片を有する香水試験器の実証された原理を現実化し、かつ取り扱いが機能的であり、製造上も有利でありかつ更にあらゆる頒布経路（雑誌の付録も含む）に対し適合的であり、並びに宣伝広告のための十分な面積を有する香水サンプルを発展させることである。
【０００６】
【課題を解決するための手段】
この課題は、本発明によれば、香水試験器において、試験細片の一方の端部領域がプラスチックシート（ないしフィルム）製の袋状物に固定されること、及びその袋状物が、当該端部領域の（図示で）上方（当該試験細片が固定された部分（端部）から、その袋状物の他方の端部の方向へずれた位置）に、袋状物の両端に牽引作用を及ぼすと試験細片の縦軸方向に引き裂かれかつ試験細片の本質的部分を開放しかつ袋状物の幅に亘って延在する目標破断線を有することによって解決される（形態１・基本構成）。
【０００７】
【発明の実施の形態】
香水試験器のこのような形態によって、操作を適切に行なえば、指と、香水が沁み込んだ試験細片とが直接接触することが回避される。これによって、芳香の特徴を劣化させることなく、種々異なる種類の複数の香水による芳香試験を行なうことが可能となる。
【０００８】
以下に、本発明の好ましい実施の形態を示すが、これらは従属請求項の対象でもある。
（２）香水試験器において、更に、目標破断線は、２つのプラスチックシートの少なくとも一方に形成されることが好ましい（形態２）。
（３）香水試験器において、更に、辺縁領域における目標破断線の２つの側部終端点の少なくとも一方は、打ち抜きマークとして構成されることが好ましい（形態３）。
（４）香水試験器において、更に、袋状物における試験細片の固定は、圧着封止によって行われることが好ましい（形態４）。
（５）香水試験器において、更に、袋状物における試験細片の固定は、該試験細片と該袋状物との、対応するそれぞれの輪郭（同士）による形状結合によって行われることが好ましい（形態５）。
（６）香水試験器において、更に、前記各輪郭は、試験細片の側凹部と、該側凹部を指向する袋状物の係止縁部の係止ノーズとからそれぞれ形成されることが好ましい（形態６）。
（７）香水試験器において、更に、前記各輪郭は、袋状物の係止隆起部が貫通する試験細片の少なくとも１つの中抜き部分から構成されることが好ましい（形態７）。
（８）香水試験器において、更に、側凹部又は中抜き部分の形状は、拘束端部における試験細片の縦方向の摺動を制限するよう形成されることが好ましい（形態８）。
（９）香水試験器において、更に、２つのシートを結合する封止接合部の内部輪郭及び試験細片の外部輪郭は、目標破断線の破断後、袋状物の非固定部分を該試験細片から完全に引き離すことができるよう互いに構成されることが好ましい（形態９）。
（１０）香水試験器において、更に、２つのシートを結合する封止接合部の内部輪郭及び試験細片の外部輪郭は、目標破断線の破断後、袋状物の２つの部分が該試験細片の中央部分のみ開放するよう互いに構成されることが好ましい（形態１０）。
【０００９】
【実施例】
本発明の香水試験器の複数の実施例を図面を参照して詳細に説明する。
【００１０】
袋状物１は、装填される（試験細片に含まれる）香水に耐性のシートないしフィルム（例えばＰＥＴ／Ｂａｒｅｘ（商品名：主成分はポリアクリロニトリル）又はＰＥＴ／Ａｌｕ（アルミニウム）／Ｂａｒｅｘ）からなる２つのシート１．１及び１．２から形成され、かつ封止接合部２．１〜２．４からなる周囲密閉封止部２を有する。これによって生じる自由空間には、試験細片３の第一端部領域が封止接合部２．３付近に位置する第二端部領域よりも封止接合部２．１の近くに位置するように、試験細片３が挿入されている。
【００１１】
試験細片３には、袋状物１への挿入前に香水を沁み込ませていてもよいが、３つの封止接合部２．１、２．２及び２．４を封止する際に香水を注入し、その後封止接合部２．３の所で（未封止）端部の封止を行なうことも可能である。
【００１２】
袋状物１を構成するシート１．１及び１．２は、宣伝広告情報を記載するためにも使用することができ、更に、取扱説明文を記載することもできる。
【００１３】
（図１の図示で）上端部５には、半円弧状のマークがあり、このマークは、例えば、印刷技術によって形成されかつ狭掴部分（指等で挟んで掴む部分）を視覚的に表示すべきものである。
【００１４】
領域Ａ／Ｂ（図３）には、シート１．１及び１．２それぞれの外面上であって、かつその位置から合同に（図１のようにシートを上方から見た場合に完全に重なるように）目標破断線６が形成される。目標破断線６は、同様に製品に依存して使用されるシート材料に依存して、直線、又は図１の例では波状の線（等の曲線）として、構成されうる。
【００１５】
この目標破断線６は、一般的に、シート接合体１．１／１．２の外側の層１．４に切れ目が形成されるように、形成される（バリエーションＡ）。使用されるシート材料によっては、外側の層１．４の下部に配される層１．３に僅かに切れ目を入れることが必要となることもある（バリエーションＢ）。
【００１６】
目標破断線の形成は、レーザ切削により、又はナイフ等により機械的に行なわれる。
【００１７】
目標破断線の位置を視覚的に表示するために、目標破断線６の（両）端部に打ち抜きマーク７を形成してもよい。
【００１８】
このように構成された香水試験器の取扱いは、図４に示した通りである。即ち：
【００１９】
目印（マーク）形成端４及び５のところで袋状物１を指で挟んで掴み、（それぞれ反対方向に）引っ張る。このため、シート１．１及び１．２は、目標破断線６のところで引き裂かれ、香水が沁み込んだ試験細片３が外部に現れるため、芳香試験を開始することができる。
【００２０】
使用後は、試験細片の自由端部（袋状物１に固定されていない端部）を再び袋状物１の引き離された部分へ挿入することもできる。
【００２１】
その際、袋状物１の当該部分は、（目印形成端５と共に）完全に試験細片から、図４に示したように、引き離すこともできるが、この引き離しは部分的に行なうこともでき、それによって芳香試験後、袋状物を摺動して再び１つにすることをより容易に行なうことができ、とりわけ試験細片に接触してしまうことを確実に阻止できる。
【００２２】
上記接触阻止の目的のために、第二実施例では、袋状物１が所定の引き離し距離Ｌに達したとき、試験細片３の外周輪郭と封鎖接合部の内周輪郭とが互いに当接するように、例えばテーパ状に形成される（図５）。
【００２３】
次に、袋状物１の拘束端部４において試験細片３を固定する手段を幾つかの実施例を用いて説明する。尤も、香水試験器の取扱いは、どの実施例でも同じである。
【００２４】
第一及び第二実施例（図１〜図５）では、袋状物１の拘束端部４は、加熱された圧着封止（シール）刻印機（プレス）によって試験細片３の第一端部領域に固定される。ここで使用される圧着封止刻印（機）は−これらの実施例では矢印として示されているが−その形状によって（試験細片が）引き出される方向を示すこともできる。尤も、この種の固定化は、使用される試験細片の材料に強く依存する。
【００２５】
そのため、他の実施例（図６〜図９）には、試験細片３の、袋状物１の拘束端部４への固定を、圧着封止によってではなく、拘束（固定）領域と試験細片３との間の形状結合（輪郭と輪郭の間のありつぎ状係合）によって可能にする手段を示した。
【００２６】
第三実施例（図６（ａ）、６（ｂ））では、試験細片３は、縦封止接合部２．２、２．４の、内方を指向する係合ノーズ２．２１、２．４１が延在する側凹部３．１、３．２を有するため、試験細片３を引き出す場合、試験細片３は、実際上、拘束端部４に位置固定的に保持（係止）される。試験細片３に一定の運動の遊び（余裕）を設けようとする場合は、試験細片３の狭幅部分が係合ノーズ２．２１、２．４１に沿って摺動することできるように、底部がより長い凹部３．３、３．４（図６（ｂ））を設けることができる。
【００２７】
第四実施例（図７（ａ）、７（ｂ））では、拘束端部４において所望の拘束作用が得られるよう、係止隆起部２．５によって「貫通係止」される中抜き部分３．５が、試験細片３に形成される。この実施例でも（試験細片の）限定的摺動を可能にしようとする場合は、中抜き部分の形状を縦長孔３．６として形成する（図７（ｂ））。
【００２８】
第五実施例（図８）では、図６の拘束形態を拡張し、凹部３．７、３．８を指向する更なる係止ノーズ２．２２、２．４２を設け、（試験細片の）引出し長さを制限する。第六実施例（図９）では、図７の拘束形態を拡張し、係止隆起部２．６が嵌り込む更なる縦長孔（中抜き部分）３．９を設け、（試験細片の）引出し長さを制限する。
【００２９】
【発明の効果】
本発明の独立請求項１により、所定の課題として掲げた効果が上述の通り達成される。即ち、本発明の香水試験器により、現代の包装技術及び包装材技術を利用して、香水を沁み込ませた細片を有する香水試験器の実証された原理を現実化し、かつ取り扱いが機能的であり、製造上も有利でありかつ更にあらゆる頒布経路（雑誌の付録も含む）に対し適合的であり、並びに宣伝広告のための十分な面積を有する香水サンプルが提供される。更に、操作を適切に行なうことにより、指と、香水が沁み込んだ試験細片とが直接接触することが回避され、これによって、芳香の特徴を劣化させることなく、種々異なる種類の複数の香水による芳香試験を行なうことが可能となる。
更に各従属請求項により、付加的な効果がそれぞれ達成される。